(57)【特許請求の範囲】
【請求項１】
身体に巻回装着され、装着部位をマッサージするエアーマッサージ装置であって、
前記身体に巻回装着される上ベルトと、
前記上ベルトより下側にて前記身体に巻回装着され、中央上部が前記上ベルトの中央下部に連結された下ベルトと、
前記上ベルトに内装された上エアバッグと、
前記下ベルトに内装された下エアバッグと、
前記上エアバッグと前記下エアバッグとを膨張及び収縮するコントローラと、
前記下エアバッグの中央から前記下ベルトの延伸方向に伸びる棒状に形成された、ヒップストッパと、を有し、
前記ヒップストッパは、内側生地と前記下エアバッグとの間に配設されている、
エアーマッサージ装置。
【請求項２】
前記上ベルトは、中央部にガイドをそれぞれ有する、
請求項１に記載のエアーマッサージ装置。
【請求項３】
前記上ベルトのガイドは、前記上ベルトの幅方向に沿って延びる棒状に形成された、
請求項２に記載のエアーマッサージ装置。
【請求項４】
前記上ベルトは、上辺中央部が凹状に湾曲して形成され、左右両端部が直線状で水平方向に伸びるように形成され、
前記下ベルトは、全体が前記上ベルトに向かって凸状に湾曲して形成された、
請求項１〜３のいずれか一項に記載のエアーマッサージ装置。
【請求項５】
前記上ベルトは、全体が前記下ベルトに向かって凸状に湾曲して形成され、
前記下ベルトは、全体が前記上ベルトに向かって凸状に湾曲して形成された、
請求項１〜３のいずれか一項に記載のエアーマッサージ装置。
【請求項６】
前記上ベルトと前記下ベルトは、前記身体に巻回される部分が円弧状に形成され、前記上ベルトの円弧部分の半径と前記下ベルトの円弧部分の半径が互いに異なる、
請求項５に記載のエアーマッサージ装置。
【請求項７】
前記上ベルト及び前記下ベルトは、身体の骨盤部分またはその周囲部分に巻回装着されるものであり、
前記上ベルトと前記下ベルトは、前記上ベルト及び前記下ベルトの中央部分から少なくとも臀部を覆う範囲にて縫い合わされて互いに連結された、
請求項１〜６のいずれか一項に記載のエアーマッサージ装置。
【請求項８】
前記上ベルト及び前記下ベルトは、身体の骨盤部分またはその周囲部分に巻回装着されるものであり、
前記上ベルトと前記下ベルトとを互いに連結する中央部分より両先端側であって、巻回状態において前記身体の側部または側部前方にて前記上ベルトと前記下ベルトとを連結する連結部をさらに有する、
請求項１〜６のいずれか一項に記載のエアーマッサージ装置。
【請求項９】
前記上ベルト及び前記下ベルトは、身体の骨盤部分またはその周囲部分に巻回装着されるものであり、
前記上エアバッグと前記下エアバッグは、それぞれ複数の膨張部を有し、
複数の前記膨張部は、それぞれの最膨張点が、マッサージの狙いとする筋肉または部位の位置に応じて設定された、
請求項１〜８のいずれか一項に記載のエアーマッサージ装置。
【請求項１０】
前記上エアバッグと前記下エアバッグの少なくとも一方は、前記身体側に配置された内側シートと、前記内側シートより外側に配置され前記内側シートより硬い外側シートからなる、
請求項１〜９のいずれか一項に記載のエアーマッサージ装置。
【請求項１１】
前記上エアバッグに含まれる複数の前記膨張部のうち、前記身体の前面に配置される膨張部の膨張容量と、前記身体の背面に配置される膨張部の膨張容量を互いに等しくした、
請求項９に記載のエアーマッサージ装置。
【請求項１２】
前記身体の前面に配置される膨張部は、ベルトの長手方向における端部の幅が徐々に狭くなる、
請求項１１に記載のエアーマッサージ装置。
【請求項１３】
前記上エアバッグと前記下エアバッグの少なくとも一方のエアバッグに含まれる少なくとも１つの前記膨張部は、主膨張部と、前記主膨張部の身体側と外側の少なくとも一方に配置され、前記膨張部と連通した少なくとも１つの補助膨張部を有する、
請求項９，１１，１２のいずれか一項に記載のエアーマッサージ装置。
【請求項１４】
前記補助膨張部は、前記補助膨張部の最膨張点が前記主膨張部の最膨張点と一致するように配設された、
請求項１３に記載のエアーマッサージ装置。
【請求項１５】
前記補助膨張部は、前記補助膨張部の最膨張点が前記主膨張部の最膨張点と異なるように配設された、
請求項１３に記載のエアーマッサージ装置。
【請求項１６】
前記補助膨張部は、前記補助膨張部の一部が前記主膨張部と重なるように配設された、
請求項１３に記載のエアーマッサージ装置。
【請求項１７】
前記膨張部は、膨張時に最膨張点が前記身体と反対側を覆う外側生地の垂直方向と異なる方向に移動するように形成された、
請求項９，１１，１２のいずれか一項に記載のエアーマッサージ装置。
【請求項１８】
前記膨張部の前記身体側に、前記膨張部より硬質なパッドが配設され、前記膨張部の膨張により前記パッドを移動する、
請求項９，１１，１２，１７のいずれか一項に記載のエアーマッサージ装置。
【請求項１９】
前記上エアバッグと前記下エアバッグの少なくとも一方のエアバッグは、複数の膨張部のそれぞれが個別に膨張及び収縮するように形成された、
請求項１〜１８のいずれか一項に記載のエアーマッサージ装置。
【請求項２０】
前記上ベルトまたは前記下ベルトと前記身体との間に挿入される補助具を有する、
請求項１〜１９のいずれか一項に記載のエアーマッサージ装置。
【発明の詳細な説明】
【技術分野】
【０００１】
本発明は、エアーマッサージ装置に関する。
【背景技術】
【０００２】
従来、腰部等をマッサージするエアーマッサージ装置が知られている。エアーマッサージ装置は、帯状のベルトに配置されたエアバッグを膨張及び収縮し、取着した部位（たとえば腰部）をマッサージする（たとえば、特許文献１〜３参照）。
【先行技術文献】
【特許文献】
【０００３】
【特許文献１】特開平１１−８９８６３号公報
【特許文献２】特開平９−１８２７７２号公報
【特許文献３】実用新案登録第３１５３３５５号公報
【発明の概要】
【発明が解決しようとする課題】
【０００４】
ところで、上記のようなエアーマッサージ装置では、帯状のベルトがマッサージしようとする部位からずれたり、マッサージ部位とベルトとの間に隙間ができたりする虞がある。これらの場合には、エアバッグの膨張及び収縮による刺激が不十分となり、有効なマッサージ効果を得ることが難しい場合がある。
【０００５】
本発明の目的は、十分な刺激の付与を可能としたエアーマッサージ装置を提供することである。
【課題を解決するための手段】
【０００６】
本発明に従うエアーマッサージ装置の一形態は、身体に巻回装着され、装着部位をマッサージするエアーマッサージ装置であって、前記身体に巻回装着される上ベルトと、前記上ベルトより下側にて前記身体に巻回装着され、中央上部が前記上ベルトの中央下部に連結された下ベルトと、前記上ベルトに内装された上エアバッグと、前記下ベルトに内装された下エアバッグと、前記上エアバッグと前記下エアバッグとを膨張及び収縮するコントローラと、を有する。
【発明の効果】
【０００７】
上記エアーマッサージ装置は、十分な刺激を付与することができる。
【図面の簡単な説明】
【０００８】
【図１】（ａ）はエアーマッサージ装置の概略構成図、（ｂ）はベルトの身体側からの平面図である。
【図２】ベルトの分解斜視図である。
【図３】エアーマッサージ装置の電気的構成を示すブロック図である。
【図４】（ａ）〜（ｄ）はエアーマッサージ装置の利用形態を示す説明図である。
【図５】（ａ）はエアバッグの平面図、（ｂ）はエアバッグの側面図である。
【図６】（ａ）（ｂ）はエアーマッサージ装置の動作を示す説明図である。
【図７】（ａ）（ｂ）はエアーマッサージ装置の動作を示す説明図である。
【図８】補助具の利用を示す説明図である。
【図９】（ａ）は変形例のエアバッグの平面図、（ｂ）は変形例のエアバッグの側面図である。
【図１０】（ａ）は変形例のエアバッグの平面図、（ｂ）は変形例のエアバッグの側面図、（ｃ）は収縮時のエアバッグの説明図、（ｄ）は膨張時のエアバッグの説明図である。
【図１１】（ａ）は変形例のエアバッグの平面図、（ｂ）は変形例のエアバッグの斜視図、（ｃ）は膨張時のエアバッグの斜視図、（ｄ）は収縮時のエアバッグの説明図、（ｅ）は膨張時のエアバッグの説明図である。
【図１２】（ａ）は変形例のエアバッグの平面図、（ｂ）は変形例のエアバッグの斜視図、（ｃ）は膨張時のエアバッグの斜視図、（ｄ）は収縮時のエアバッグの説明図、（ｅ）は膨張時のエアバッグの説明図である。
【図１３】変形例のベルト部の平面図である。
【図１４】変形例のベルト部の平面図である。
【図１５】（ａ）は変形例のベルト部の平面図、（ｂ）は変形例のベルト部の使用状態の説明図である。
【発明を実施するための形態】
【０００９】
（エアーマッサージ装置が取り得る形態の一例）
〔１〕本発明に従うエアーマッサージ装置の一形態は、身体に巻回装着され、装着部位をマッサージするエアーマッサージ装置であって、前記身体に巻回装着される上ベルトと、前記上ベルトより下側にて前記身体に巻回装着され、中央上部が前記上ベルトの中央下部に連結された下ベルトと、前記上ベルトに内装された上エアバッグと、前記下ベルトに内装された下エアバッグと、前記上エアバッグと前記下エアバッグとを膨張及び収縮するコントローラと、を有する。
【００１０】
本エアーマッサージ装置によれば、中央部分が連結された上ベルトと下ベルトと巻回装着することにより、上エアバッグと下エアバッグが身体の形状（体型）に応じて取着される。このため、上エアバッグと下エアバッグにより身体に対して十分な刺激を付与することができる。
【００１１】
〔２〕前記エアーマッサージ装置の一例によれば、前記上ベルトと前記下ベルトは、中央部にガイドをそれぞれ有する。
ガイドにより、上ベルトと下ベルトを巻回装着することで、上エアバッグと下エアバッグを、身体の中心（左右）や身体の上下方向において正しく装着することができる。このため、上エアバッグと下エアバッグにより、狙いの部位に対して十分な刺激を付与することができる。
【００１２】
〔３〕前記エアーマッサージ装置の一例によれば、前記上ベルトのガイドは、前記上ベルトの幅方向に沿って延びる棒状に形成され、前記下ベルトのガイドは、前記下エアバッグの中央から前記下ベルトの延伸方向に伸びる棒状に形成された。
【００１３】
上ベルトの幅方向に伸びるガイドにより、身体の中心（左右）において正しく装着することができる。また、下ベルトに沿って延びるガイドをたとえばお尻の付け根部分に合わせることで、身体に正しく装着することができる。
【００１４】
〔４〕前記エアーマッサージ装置の一例によれば、前記上ベルトは、上辺中央部が凹状に湾曲して形成され、左右両端部が直線状で水平方向に伸びるように形成され、前記下ベルトは、全体が前記上ベルトに向かって凸状に湾曲して形成された。
【００１５】
たとえば、身体の骨盤部分またはその周囲部分に巻回装着する際に、凹状に湾曲して形成された上ベルトの中央部は、仙骨部の隙間を埋め、上ベルトが身体に密着する。このため、上エアバッグの膨張時にエアバッグが身体を圧迫しやすくなり、マッサージ感が向上する。
【００１６】
〔５〕前記エアーマッサージ装置の一例によれば、前記上ベルトは、全体が前記下ベルトに向かって凸状に湾曲して形成され、前記下ベルトは、全体が前記上ベルトに向かって凸状に湾曲して形成された。
【００１７】
巻回装着された上ベルトにおいて、上側端部が形成する輪よりも下側端部が形成する輪が大きい。また、巻回装着された下ベルトにおいて、下側端部が形成する輪よりも上側端部が形成する輪が大きい。したがって、上エアバッグを膨張した際、上ベルトは上方向へずれ難い。また、下エアバッグを膨張した際、下ベルトは下方向へずれ難い。このように、上下方向への位置ずれを抑制することができる。
【００１８】
〔６〕前記エアーマッサージ装置の一例によれば、前記上ベルトと前記下ベルトは、前記身体に巻回される部分が円弧状に形成され、前記上ベルトの円弧部分の半径と前記下ベルトの円弧部分の半径が互いに異なる。
【００１９】
それぞれ円弧状に形成された上ベルトの半径と下ベルトの半径を巻回する部位に応じて設定することで、上ベルトと下ベルトとが身体に密着するため、位置ずれを抑制することができる。
【００２０】
〔７〕前記エアーマッサージ装置の一例によれば、前記上ベルト及び前記下ベルトは、身体の骨盤部分またはその周囲部分に巻回装着されるものであり、前記上ベルトと前記下ベルトは、前記上ベルト及び前記下ベルトの中央部分から少なくとも臀部を覆う範囲にて縫い合わされて互いに連結された。
【００２１】
臀部を覆う部分において上ベルトと下ベルトとが連結されているため、ユーザが把持した上ベルトを巻回装着する際に下ベルトの中央部が臀部に当たるため、身体の上下方向において正しい位置への装着が可能となる。
【００２２】
〔８〕前記エアーマッサージ装置の一例によれば、前記上ベルト及び前記下ベルトは、身体の骨盤部分またはその周囲部分に巻回装着されるものであり、前記上ベルトと前記下ベルトとを互いに連結する中央部分より両先端側であって、巻回状態において前記身体の側部または側部前方にて前記上ベルトと前記下ベルトとを連結する連結部をさらに有する。
【００２３】
ユーザが把持した上ベルトを巻回装着する際、連結部にて上ベルトと下ベルトとが身体の側部または側部前方において連結されている。このため、下ベルトの中央部が臀部に当たるため、身体の上下方向において正しい位置への装着が可能となる。
【００２４】
〔９〕前記エアーマッサージ装置の一例によれば、前記上ベルト及び前記下ベルトは、身体の骨盤部分またはその周囲部分に巻回装着されるものであり、前記上エアバッグと前記下エアバッグは、それぞれ複数の膨張部を有し、複数の前記膨張部は、それぞれの最膨張点が、マッサージの狙いとする筋肉または部位の位置に応じて設定された。
【００２５】
上エアバッグと下エアバッグに含まれる複数の膨張部を膨張することで、各膨張部の最膨張点が設定された位置における筋肉または部位を圧迫する。したがって、各膨張部を膨張及び収縮することで、狙いとする筋肉または部位に十分に刺激を付与してマッサージすることができる。
【００２６】
〔１０〕前記エアーマッサージ装置の一例によれば、前記上エアバッグと前記下エアバッグの少なくとも一方は、前記身体側に配置された内側シートと、前記内側シートより外側に配置され前記内側シートより硬い外側シートからなる。
【００２７】
たとえば、厚さや材質により内側シートと外側シートの硬さを相違させることで、脹らみ方が変わる。このため、外側シートに比べて内側シートの脹らみを大きくすることで、膨張時に身体に向かって膨張し易く、身体の部位を圧迫することができる。
【００２８】
〔１１〕前記エアーマッサージ装置の一例によれば、前記上エアバッグに含まれる複数の前記膨張部のうち、前記身体の前面に配置される膨張部の膨張容量と、前記身体の背面に配置される膨張部の膨張容量を互いに等しくした。
【００２９】
上エアバッグを膨張させる際に、その上エアバッグが巻回された身体において、前面側と背面側の圧迫量が均等となる。このため、身体において均等な締め付け効果が得られる。
【００３０】
〔１２〕前記エアーマッサージ装置の一例によれば、前記身体の前面に配置される膨張部は、先端に向かって徐々に幅を狭く形成された。
身体の前面に配置される膨張部は、それぞれの先端が身体の中心、つまり下腹部に配置される。したがって、膨張部の先端の幅を徐々に狭くすることで、膨張量が先端に向かって少なくなるため、下腹部への圧迫を少なくすることができる。
【００３１】
〔１３〕前記エアーマッサージ装置の一例によれば、前記上エアバッグと前記下エアバッグの少なくとも一方のエアバッグに含まれる少なくとも１つの前記膨張部は、主膨張部と、前記主膨張部の身体側と外側の少なくとも一方に配置され、前記膨張部と連通した少なくとも１つの補助膨張部を有する。
【００３２】
主膨張部と補助膨張部により、補助膨張部が取着されていない膨張部と比べて膨張量が大きくなる。したがって、補助膨張部が配設された部位に対する圧迫量が、補助膨張部が配設されていない部位と比べて大きくなる。このように、圧迫量を局所的に大きくすることができる。
【００３３】
〔１４〕前記エアーマッサージ装置の一例によれば、前記補助膨張部は、前記補助膨張部の最膨張点が前記主膨張部の最膨張点と一致するように配設された。
補助膨張部が配設された部位における圧迫量が大きく、たとえば梨状筋のように、身体の深い部分の筋肉または部位を圧迫することが可能となる。このように、狙いとする部位に応じて補助膨張部を配設することで、十分な刺激を付与することが可能となる。
【００３４】
〔１５〕前記エアーマッサージ装置の一例によれば、前記補助膨張部は、前記補助膨張部の最膨張点が前記主膨張部の最膨張点と異なるように配設された。
補助膨張部が配設された部位における圧迫量が大きい。また、最膨張点が垂直方向以外の方向に移動するため、狙いとする部位を斜めから圧迫する。このため、狙いとする筋肉または部位を効果的にマッサージすることができる。
【００３５】
〔１６〕前記エアーマッサージ装置の一例によれば、前記補助膨張部は、前記補助膨張部の一部が前記主膨張部と重なるように配設された。
補助膨張部が配設された部位における圧迫量が大きい。また、最膨張点が垂直方向以外の方向に移動するため、狙いとする部位を斜めから圧迫する。このため、狙いとする筋肉または部位を効果的にマッサージすることができる。
【００３６】
〔１７〕前記エアーマッサージ装置の一例によれば、前記膨張部は、膨張時に最膨張点が前記身体と反対側を覆う外側生地の垂直方向と異なる方向に移動するように形成された。
【００３７】
最膨張点が垂直方向以外の方向に移動するため、狙いとする部位を斜めから圧迫する。このため、狙いとする筋肉または部位を効果的にマッサージすることができる。
〔１８〕前記エアーマッサージ装置の一例によれば、前記膨張部の前記身体側に、前記膨張部より硬質なパッドが配設され、前記膨張部の膨張により前記パッドを移動する。
【００３８】
膨張部の膨張によってパッドが移動するため、膨張部より硬質なバッドによって狙いとする筋肉または部位を動かしてマッサージすることができる。
〔１９〕前記上エアバッグと前記下エアバッグの少なくとも一方のエアバッグは、複数の膨張部のそれぞれが個別に膨張及び収縮するように形成された。
【００３９】
複数の膨張部を個別に膨張及び収縮することで、各膨張部の膨張及び収縮方向と異なる方向の身体（筋肉や部位）が移動する。たとえば、身体の右前方と左後方の膨張部を膨張させると、身体を捻るように筋肉が動かされる。したがって、個々の膨張部の膨張により圧迫される範囲と比べ、より大きな範囲の筋肉や部位を動かすことが可能となる。このため、マッサージ効果の向上が可能となる。
【００４０】
〔２０〕前記エアーマッサージ装置の一例によれば、前記上ベルトまたは前記下ベルトと前記身体との間に挿入される補助具を有する。
上ベルトまたは下ベルトと身体との間に補助具が挿入され、上エアバッグまたは下エアバッグの膨張により補助具が身体に強く押し付けられる。このため、任意の位置に配置された補助具により、指圧感を得ることができる。また、補助具の位置は、ユーザが任意に設定できるため、上ベルトと下ベルトに覆われた様々な部位において指圧感を得ることができる。
【００４１】
（実施の形態）
以下、実施の形態を説明する。
図１（ａ）に示すように、エアーマッサージ装置は、ベルト１０、コントローラ７０、電源アダプタ８０、補助具９０を有している。
【００４２】
ベルト１０は、上ベルト１１と下ベルト１２を有している。上ベルト１１と下ベルト１２は、それぞれ帯状に形成されている。上ベルト１１は、全体として略直線状に形成されている。上ベルト１１の中央部上端には、円弧状の凹部１１ａが形成されている。また、上ベルト１１の中央部下端には、略円弧状に膨出する連結部１１ｂが形成されている。下ベルト１２は、全体として円弧状に形成されている。下ベルト１２の中央部上端は、連結部１２ｂであり、この連結部１２ｂは、上ベルト１１の連結部１１ｂと連結されている。上ベルト１１の連結部１１ｂと下ベルト１２の連結部１２ｂは、たとえば縫製により互いに連結されている。
【００４３】
図１（ａ）に示すように、上ベルト１１は上エアバッグ２０を有している。下ベルト１２は下エアバッグ４０を有している。
図２に示すように、上ベルト１１は、外側生地１１ｃと内側生地１１ｄとを有している。そして、上エアバッグ２０は、外側生地１１ｃと内側生地１１ｄとの間に内装されている。同様に、下ベルト１２は、外側生地１２ｃと内側生地１２ｄとを有している。そして、下エアバッグ４０は、外側生地１２ｃと内側生地１２ｄとの間に内装されている。
【００４４】
図１（ａ）に示すように、ベルト１０は、補助ベルト１３，１４を有している。補助ベルト１３，１４は、上ベルト１１と下ベルト１２の伸びを抑制する。また、補助ベルト１３，１４は、連結部１１ｂ、１２ｂによる連結を補助する。補助ベルト１３，１４は、互いに交差し、上ベルト１１の外側生地１１ｃと下ベルト１２の外側生地１２ｃとに、たとえば縫製により固定されている。つまり、補助ベルト１３の一端は、上ベルト１１の外側生地１１ｃの中央右側に固着され、補助ベルト１３の他端は下ベルト１２の外側生地１２ｃの中央左側に固定されている。補助ベルト１４の一端は、上ベルト１１の外側生地１１ｃの中央左側に固着され、補助ベルト１４の他端は下ベルト１２の外側生地１２ｃの中央右側に固定されている。
【００４５】
図１（ａ）に示すように、上ベルト１１の第１端部１１ｅ（図において左側端部）には、面ファスナ１５ａが固着されている。面ファスナ１５ａは、たとえば、縫製により、上ベルト１１の外側生地１１ｃに固着されている。同様に、下ベルト１２の第１端部１２ｅ（図において左側端部）には、面ファスナ１６ａが固着されている。面ファスナ１６ａは、たとえば、縫製により、下ベルト１２の外側生地１２ｃに固着されている。これらの面ファスナ１５ａ，１６ａは、たとえば雄側の面ファスナである。
【００４６】
図１（ｂ）に示すように、上ベルト１１の第２端部１１ｆ（図において左側端部）には、面ファスナ１５ｂが固着されている。面ファスナ１５ｂは、たとえば、縫製により、上ベルト１１の内側生地１１ｄに固着されている。同様に、下ベルト１２の第２端部１２ｆ（図において左側端部）には、面ファスナ１６ｂが固着されている。面ファスナ１６ｂは、たとえば、縫製により、下ベルト１２の内側生地１２ｄに固着されている。これらの面ファスナ１５ｂ，１６ｂは、たとえば雌側の面ファスナである。
【００４７】
ベルト１０は、上ベルト１１の面ファスナ１５ａ，１５ｂを互いに付着させ、下ベルト１２の面ファスナ１６ａ，１６ｂを互いに付着させることにより円筒状を成し、対象部位（たとえば腰部）に取着される。
【００４８】
図２に示すように、上ベルト１１の内側生地１１ｄには、センターガイド１７が取着されている。センターガイド１７は、上ベルト１１の略中央に配設されている。センターガイド１７は、内側生地１１ｄと上エアバッグ２０との間に配設されている。センターガイド１７は、上ベルト１１の幅方向（図１（ａ）において上下方向）に伸びるように形成されている。センターガイド１７は、たとえば円柱状に形成されている。センターガイド１７は、たとえばスポンジ状等の柔らかいものが適している。センターガイド１７の高さ（内側生地１１ｄから先端（後端）までの距離）は、たとえば２０〜３０ミリメートル（ｍｍ）が好ましい。また、センターガイド１７の幅（左右方向の長さ）は、たとえば２０〜３０ミリメートル（ｍｍ）が好ましい。
【００４９】
下ベルト１２の内側生地１２ｄには、ヒップストッパ１８が取着されている。ヒップストッパ１８は、内側生地１２ｄと下エアバッグ４０との間に配設されている。ヒップストッパ１８は、下ベルト１２に沿って延びるように形成されている。そして、ヒップストッパ１８の中央において、ヒップストッパ１８と直交する線分上に上記のセンターガイド１７が配設されている。また、ヒップストッパ１８は、下向きに凸となる弧状に形成されている。ヒップストッパ１８の高さ（内側生地１２ｄから先端（後端）までの距離）は、たとえば２０〜３０ミリメートル（ｍｍ）が好ましい。また、センターガイド１７の幅（上下方向の長さ）は、たとえば２０〜３０ミリメートル（ｍｍ）が好ましい。
【００５０】
図１（ａ）に示すように、上ベルト１１の上エアバッグ２０は、エアバッグ生地２１ａ，２１ｂとエアノズル２２を有している。エアノズル２２は、上ベルト１１の外側生地１１ｃに形成された挿通孔１１ｇ（図２参照）から突出している。エアノズル２２は、上パイプＰ１を介してコントローラ７０に接続される。同様に、下ベルト１２の下エアバッグ４０は、エアバッグ生地４１ａ，４１ｂとエアノズル４２を有している。エアノズル４２は、下ベルト１２の外側生地１２ｃに形成された挿通孔１２ｇ（図２参照）から突出している。エアノズル４２は、下パイプＰ２を介してコントローラ７０に接続される。
【００５１】
コントローラ７０には、電源アダプタ８０が接続される。コントローラ７０は、電源アダプタ８０により駆動電力が供給される。コントローラ７０は、電源スイッチ７１とモードスイッチ７２を有している。コントローラ７０は、電源スイッチ７１の操作に基づいて、起動・停止する。起動したコントローラ７０は、上エアバッグ２０に対するエアーの供給を制御し、上エアバッグ２０を膨張・保持・収縮する。また、コントローラ７０は、下エアバッグ４０に対するエアーの供給を制御し、下エアバッグ４０を膨張・保持・収縮する。
【００５２】
図３に示すように、コントローラ７０は、制御部７３を有している。制御部７３にはポンプ７４、電磁弁７５，７６が接続されている。ポンプ７４は、エアー供給ポンプである。制御部７３はポンプ７４を駆動する。ポンプ７４は、電磁弁７５を介して上エアバッグ２０に接続され、電磁弁７６を介して下エアバッグ４０に接続されている。
【００５３】
電磁弁７５は、たとえば３方弁であり、制御部７３は、電磁弁７５を制御する。第１の制御形態において、電磁弁７５は、ポンプ７４から吐出されるエアーを上パイプＰ１に供給する。この第２の制御形態により、上エアバッグ２０が膨張する。第２の制御形態において、電磁弁７５は、上パイプＰ１を閉鎖する。この第２の制御形態により、上エアバッグ２０の形状が保持される。第３の制御形態において、電磁弁７５は、上パイプＰ１を大気開放する。この第３の制御形態により、上エアバッグ２０が収縮する。
【００５４】
電磁弁７６は、たとえば３方弁であり、制御部７３は、電磁弁７６を制御する。第１の制御形態において、電磁弁７６は、ポンプ７４から吐出されるエアーを下パイプＰ２に供給する。この第２の制御形態により、下エアバッグ４０が膨張する。第２の制御形態において、電磁弁７６は、下パイプＰ２を閉鎖する。この第２の制御形態により、下エアバッグ４０の形状が保持される。第３の制御形態において、電磁弁７６は、下パイプＰ２を大気開放する。この第３の制御形態により、下エアバッグ４０が収縮する。
【００５５】
図５（ａ）は上エアバッグ２０と下エアバッグ４０を示す平面図を示す。なお、図５（ａ）では、上ベルト１１の外側生地１１ｃと下ベルト１２の外側生地１２ｃが省略されている。図５（ｂ）は上エアバッグ２０の概略側面図を示す。
【００５６】
図５（ｂ）に示すように、上エアバッグ２０は、２枚のエアバッグ生地２１ａ，２１ｂを有している。エアバッグ生地２１ａ，２１ｂは、たとえばナイロン樹脂のシートである。なお、エアバッグ生地として、ビニールやウレタンなどの樹脂のシートを用いてもよい。２枚のエアバッグ生地２１ａ，２１ｂは、図５（ａ）に示す溶着部２３において互いに溶着されている。
【００５７】
身体側（図において左側）のエアバッグ生地２１ａと、反身体側（図において右側）のエアバッグ生地２１ｂは、膨張時における脹らみ形状が互いに異なる。このような形状変化は、たとえば、厚さの異なる２枚のエアバッグ生地を溶着することにより得られる。上エアバッグ２０において、最も膨張する点（膨張において最も変位が大きな点）を最膨張点とよぶ。なお、材質が異なる２枚のエアバッグ生地を互いに溶着する、または厚さ及び材質が互いに異なる２枚のエアバッグ生地を互いに溶着して、脹らみが異なるようにしてもよい。
【００５８】
図５（ａ）に示すように、エアバッグ生地２１ａ，２１ｂは、環状の溶着部２３により互いに接着されている。溶着部２３の内側の領域において、左右方向中央には分断部２４が形成されている。また、溶着部２３の内側の領域において、左右の領域にはそれぞれ２つの分断部２５Ｒ，２６Ｒ，２５Ｌ，２６Ｌが形成されている。
【００５９】
各分断部２４，２５Ｒ，２５Ｌ，２６Ｒ，２６Ｌは、２枚のエアバッグ生地２１ａ，２１ｂを環状に接着（溶着）して形成されている。各分断部２４，２５Ｒ，２５Ｌ，２６Ｒ，２６Ｌは、溶着部２３から離間して形成されている。５つの分断部２４，２５Ｒ，２５Ｌ，２６Ｒ，２６Ｌは、上エアバッグ２０の右側と左側にそれぞれ３つの膨張部３１Ｒ，３２Ｒ，３３Ｒ、膨張部３１Ｌ，３２Ｌ，３３Ｌを形成する。膨張部３１Ｒ，３２Ｒ，３３Ｒ，３１Ｌ，３２Ｌ，３３Ｌは、溶着部２３と各分断部２５Ｒ，２６Ｒ，２５Ｌ，２６Ｌとの間の通路（エアーの流路）により互いに連通している。
【００６０】
中央の分断部２４は、図２に示すセンターガイド１７に対応し、このセンターガイド１７の部分が膨張しないように形成されている。
溶着部２３と各分断部２４，２５Ｒ，２５Ｌ，２６Ｒ，２６Ｌは、各膨張部３１Ｒ，３２Ｒ，３３Ｒ，３１Ｌ，３２Ｌ，３３Ｌを設定する。
【００６１】
膨張部の設定は、形状、最膨張点の位置、膨張容量、膨張量を含む。最膨張点の位置は、上ベルト１１の幅方向における最膨張点の位置であり、図５（ａ）において上下方向の位置である。膨張容量は、膨張部の膨張時における容積である。膨張量は、膨張したエアバッグ（膨張部）の厚さと、収縮したエアバッグ（膨張部）の厚さとの差である。なお、膨張量を膨張高さとよぶことがある。
【００６２】
各分断部は、膨張部の位置と長さ（上エアバッグ２０の長手方向の長さ）を決定する。溶着部２３の形状（幅）は、膨張部の幅を決定する。そして、上エアバッグ２０の形状、各膨張部の長さ（上エアバッグ２０の長手方向の長さ）と幅（上エアバッグ２０の幅）、形状は、最膨張点の位置を決定する。
【００６３】
たとえば、上エアバッグ２０の中央部は、上ベルト１１の形状に応じて、下方向（図５（ａ）において下方向）に凸となるように湾曲している。したがって、上エアバッグ２０の中央に形成された膨張部３１Ｒ，３１Ｌの最膨張点３１ａ，３１ｂは、上エアバッグ２０の湾曲した形状によって、それぞれより先端側の膨張部３２Ｒ，３２Ｌの最膨張点３２ａ，３２ｂより下方向（下ベルト１２側）にずれている。
【００６４】
溶着部２３と分断部２４，２５Ｒ，２６Ｒは、膨張部３１Ｒと膨張部３２Ｒの膨張容量の合計値を膨張部３３Ｒの膨張容量と略等しくするように設定されている。同様に、溶着部２３と分断部２４，２５Ｌ，２６Ｌは、膨張部３１Ｌと膨張部３２Ｌの膨張容量の合計値を膨張部３３Ｌの膨張容量と略等しくするように設定されている。
【００６５】
そして、上エアバッグ２０において、両端部の膨張部３３Ｒ，３３Ｌは、それぞれ先端にいくほど上下方向の幅が狭くなる先細状に形成されている。したがって、この先端部では、膨張量が先端に向かって徐々に少なくなる。
【００６６】
そして、各膨張部３１Ｒ，３２Ｒ，３３Ｒ，３１Ｌ，３２Ｌ，３３Ｌの形状と最膨張点３１ａ，３２ａ，３３ａ，３１ｂ，３２ｂ，３３ｂの位置（装着時における高さ）は、上エアバッグ２０が圧迫する箇所に応じて設定される。圧迫する箇所は、このエアーマッサージ装置を装着した箇所（腰部）において、マッサージの狙いとなる部位である。狙いの部位については後述する。
【００６７】
下エアバッグ４０は、上エアバッグ２０と同様に、２枚のエアバッグ生地４１ａ，４１ｂを有している。エアバッグ生地４１ａ，４１ｂは、たとえばナイロン樹脂のシートである。なお、エアバッグ生地として、ビニールやウレタンなどの樹脂のシートを用いてもよい。２枚のエアバッグ生地４１ａ，４１ｂは、図５（ａ）に示す溶着部４３において互いに溶着されている。
【００６８】
下エアバッグ４０のエアバッグ生地４１ａ，４１ｂは、上エアバッグ２０のエアバッグ生地２１ａ，２１ｂと同様に膨張する。図示しないが、身体側のエアバッグ生地４１ａと、反身体側のエアバッグ生地４１ｂは、膨張時における脹らみ形状が互いに異なる。このような形状変化は、たとえば、厚さの異なる２枚のエアバッグ生地を溶着することにより得られる。下エアバッグ４０において、最も膨張する点（膨張において最も変位が大きな点）を最膨張点とよぶ。なお、材質が異なる２枚のエアバッグ生地を互いに溶着する、または厚さ及び材質が互いに異なる２枚のエアバッグ生地を互いに溶着して、脹らみが異なるようにしてもよい。
【００６９】
エアバッグ生地４１ａ，４１ｂは、環状の溶着部４３により互いに接着されている。溶着部４３の内側の領域において、左右方向中央には分断部４４が形成されている。また、溶着部４３の内側の領域において、左右の領域にはそれぞれ１つの分断部４５Ｒ，４５Ｌが形成されている。
【００７０】
各分断部４５Ｒ，４５Ｌは、２枚のエアバッグ生地４１ａ，４１ｂを環状に接着（溶着）して形成されている。各分断部４５Ｒ，４５Ｌは、溶着部４３から離間して形成されている。３つの分断部４４，４５Ｒ，４５Ｌは、下エアバッグ４０の右側と左側にそれぞれ２つの膨張部５１Ｒ，５２Ｒ、膨張部５１Ｌ，５２Ｌを形成する。膨張部５１Ｒ，５２Ｒ，５１Ｌ，５２Ｌは、溶着部４３と分断部４４，４５Ｒ，４５Ｌとの間の通路（エアーの流路）により互いに連通している。
【００７１】
溶着部４３と分断部４４，４５Ｒ，４５Ｌは、各膨張部５１Ｒ，５２Ｒ，５１Ｌ，５２Ｌを設定する。膨張部の設定は、形状、最膨張点の位置、膨張容量、膨張量を含む。
最膨張点の位置は、下ベルト１２の幅方向における最膨張点の位置であり、図５（ａ）において上下方向の位置である。膨張容量は、膨張部の膨張時における容積である。膨張量は、膨張したエアバッグ（膨張部）の厚さと、収縮したエアバッグ（膨張部）の厚さとの差である。なお、膨張量を膨張高さとよぶことがある。
【００７２】
各分断部は、膨張部の位置と長さ（上エアバッグ２０の長手方向の長さ）を決定する。溶着部４３の形状（幅）は、膨張部の幅を決定する。そして、上エアバッグ２０の形状、各膨張部の長さ（上エアバッグ２０の長手方向の長さ）と幅（上エアバッグ２０の幅）、形状は、最膨張点の位置を決定する。
【００７３】
溶着部４３と分断部４４，４５Ｒ，４５Ｌの形状及び位置は、各膨張部５１Ｒ，５２Ｒ，５１Ｌ，５２Ｌの膨張容量が互いに略等しくなるように設定されている。さらに、下エアバッグ４０の膨張部５１Ｒ，５２Ｒ，５１Ｌ，５２Ｌの膨張容量は、上エアバッグ２０の膨張部３３Ｒ，３３Ｌの膨張容量と略等しくなるように、溶着部と分断部の形状及び位置が設定されている。
【００７４】
なお、下エアバッグ４０の溶着部４３は、膨張する部分の長さ（溶着部４３により囲まれた部分の左右方向の長さ）が、上エアバッグ２０において膨張する部分の長さ（溶着部４３により囲まれた部分の左右方向の長さ）よりも短くなるように形成されている。
【００７５】
そして、各膨張部５１Ｒ，５２Ｒ，５１Ｌ，５２Ｌの形状と最膨張点５１ａ，５２ａ，５１ｂ，５２ｂの位置（装着時における高さ）は、下エアバッグ４０が圧迫する箇所に応じて設定される。圧迫する箇所は、このエアーマッサージ装置を装着した箇所（腰部）において、マッサージの狙いとなる部位である。
【００７６】
上エアバッグ２０と下エアバッグ４０が狙う部位を説明する。
図６（ａ）及び図６（ｂ）は、身体（腰部）に装着したエアーマッサージ装置の上エアバッグ２０と下エアバッグ４０の膨張部を破線にて示す。なお、図６（ａ）及び図６（ｂ）において、各膨張部は、破線にてそれぞれ独立した領域として示されている。
【００７７】
図６（ａ）に示すように、上エアバッグ２０の膨張部３３Ｒ，３３Ｌは身体（腰部）の前方に配置される。そして、膨張部３３Ｒ，３３Ｌは、大腿四頭筋６１の付け根に位置する。図６（ｂ）に示すように、膨張部３１Ｒ，３１Ｌは、身体（腰部）の後方中央よりに配置される。そして、膨張部３１Ｒ，３１Ｌは、梨状筋６２（図において右側にのみ示す）に位置する。膨張部３２Ｒ、３２Ｌは、身体（腰部）の後方左右側部に配置される。そして、膨張部３２Ｒ，３２Ｌは、中臀筋６３（図において右側にのみ示す）に位置する。
【００７８】
図６（ａ）に示すように、下エアバッグ４０の膨張部５２Ｒ，５２Ｌは身体（腰部）の前方に配置される。そして、膨張部５２Ｒ，５２Ｌは、大腿四頭筋６１の上部に位置する。図６（ｂ）に示すように、膨張部５１Ｒ，５１Ｌは、身体（腰部）の後方に配置される。そして、膨張部５１Ｒ，５１Ｌは、ハムストリングス（大腿二頭筋，半腱様筋，半膜様筋）６５（図において右側にのみ示す）の付け根に位置する。
【００７９】
図１（ａ）に示すように、補助具９０は指圧用パッドであり、ベース９１，指圧部９２，把持部９３を有している。
ベース９１は、両端部が半円状に形成された所謂小判状の基板である。指圧部９２は、ベース９１の一方の面に形成されている。指圧部９２の形状は、たとえば略球状である。指圧部９２は硬質な物であることが好ましく、その大きさは、たとえば直径４０ミリメートル（ｍｍ）であり、ベース９１からの高さが３０〜４０ｍｍである。指圧部９２は、たとえばベース９１と一体に形成されている。
【００８０】
また、補助具９０は、把持部９３を有している。把持部９３は、ベース９１の一端から突出している。把持部９３は、たとえばベース９１と一体に形成されている。把持部９３は、たとえば断面が略矩形の棒状に形成されている。
【００８１】
この補助具９０は、ベルト１０の装着後に、ベルト１０（上ベルト１１，下ベルト１２）と身体との間に挿入される。補助具９０の把持部９３は、補助具９０の挿抜を容易にする。また、把持部９３は、指圧部９２の位置を使用者の好みの位置への配置を容易にする。そして、指圧部９２は、ベルト１０の上エアバッグ２０と下エアバッグ４０だけでは再現の難しい指圧感を身体に与える。
【００８２】
（作用）
次に、上記のエアーマッサージ装置の作用を説明する。
図４（ａ）に示すように、脚を閉じて、上ベルト１１の端を持ち、ベルト１０をお尻に当てる。このとき、身体の左右において、上ベルト１１が同じ長さとなるようにする。また、下ベルト１２をお尻の形状に合うように上下位置を設定する。
【００８３】
図４（ｂ）に示すように、上ベルト１１のセンターガイド１７を身体の中央（背中心）に合わせることで、ベルト１０を身体の左右方向において容易に位置合わせする。また、下ベルト１２のヒップストッパ１８をお尻の付け根部分に当たるようにすることで、ベルト１０を身体の上下方向において容易に位置合わせする。
【００８４】
そして、上ベルト１１の面ファスナ１５ａ，１５ｂ（図１（ａ），図１（ｂ）参照）を互いに係止し、上ベルト１１を身体に固定する。次に、下ベルト１２の面ファスナ１６ａ，１６ｂを互いに係止し、下ベルト１２を身体に固定する。このとき、図４（ｃ）に示すように、上ベルト１１を真っ直ぐに止め、下ベルト１２を身体に沿うようにしっかりと巻く。下ベルト１２は上向きに凸となるように湾曲して形成されている。したがって、下ベルト１２は、骨盤周りの体型に沿って装着される。
【００８５】
図４（ｄ）に示すように、上パイプＰ１と下パイプＰ２をコントローラ７０に接続する。コントローラ７０の電源スイッチ７１を操作する。
図３に示すように、コントローラ７０（制御部７３）は、ポンプ７４を駆動し、電磁弁７５，７６を制御する。これにより、ポンプ７４から吐出されるエアーが、電磁弁７５，７６を介して上エアバッグ２０と下エアバッグ４０に供給される。上エアバッグ２０と下エアバッグ４０は、供給されるエアーによりそれぞれ膨張する。
【００８６】
コントローラ７０は、設定された時間でポンプ７４と電磁弁７５，７６を制御する。たとえば、コントローラ７０は、選択されたマッサージのコースに応じて間欠的に電磁弁７５，７６を制御し、上エアバッグ２０と下エアバッグ４０とを、膨張・保持・収縮する。このような上エアバッグ２０と下エアバッグ４０の制御により、上ベルト１１と下ベルト１２が巻回された骨盤周りやおしりの筋肉を圧迫し、マッサージする。
【００８７】
図５（ａ）に示すように、上エアバッグ２０は、溶着部２３と分断部２４，２５Ｒ、２６Ｒ，２５Ｌ，２６Ｌにより形成された膨張部３１Ｒ，３２Ｒ，３３Ｒ，３１Ｌ，３２Ｌ，３３Ｌを有している。図６（ａ）に示すように、膨張部３３Ｒ，３３Ｌは、大腿四頭筋６１の付け根に位置する。図６（ｂ）に示すように、膨張部３１Ｒ，３１Ｌは、梨状筋６２（図において右側にのみ示す）に位置する。そして、膨張部３２Ｒ，３２Ｌは、中臀筋６３（図において右側にのみ示す）に位置する。したがって、上エアバッグ２０を膨張・収縮することにより、上記の筋肉が直接圧迫され、マッサージされる。
【００８８】
図５（ａ）に示すように、下エアバッグ４０は、溶着部４３と分断部４４，４５Ｒ，４５Ｌにより形成された膨張部５１Ｒ，５２Ｒ，５１Ｌ，５２Ｌを有している。図６（ａ）に示すように、膨張部５２Ｒ，５２Ｌは、大腿四頭筋６１の上部に位置する。図６（ｂ）に示すように、膨張部５１Ｒ，５１Ｌは、ハムストリングス（大腿二頭筋，半腱様筋，半膜様筋）６５（図において右側にのみ示す）の付け根に位置する。したがって、下エアバッグ４０を膨張・収縮することにより、上記の筋肉が直接圧迫され、マッサージされる。
【００８９】
たとえば、上エアバッグ２０のみを膨張・収縮することで、膨張部３１Ｒ，３２Ｒ，３３Ｒ，３１Ｌ，３２Ｌ，３３Ｌの部位を集中して圧迫し、マッサージすることができる。同様に、下エアバッグ４０のみを膨張・収縮することで、膨張部５１Ｒ，５２Ｒ，５１Ｌ，５２Ｌの部位を集中して圧迫し、マッサージすることができる。そして、上エアバッグ２０と下エアバッグ４０を同時に膨張させることで、お尻周り全体を締め付けることができる。
【００９０】
図６（ａ）に示すように、上エアバッグ２０の膨張部３３Ｒ，３３Ｌは身体の前面に配置される。そして、図６（ｂ）に示すように、上エアバッグ２０の膨張部３１Ｒ，３２Ｒ，３１Ｌ，３２Ｌは、身体の背面に配置される。そして、膨張部３１Ｒと膨張部３２Ｒの膨張容量の合計値は膨張部３３Ｒの膨張容量と略等しく、膨張部３１Ｌと膨張部３２Ｌの膨張容量の合計値は膨張部３３Ｌの膨張容量と略等しい。つまり、身体の前面に配置される膨張部の膨張容量と、身体の背面に配置される膨張部の膨張容量は、互いに略等しい。したがって、身体の前面と背面の圧迫量が略等しくなり、均一な締め付け効果が得られる。
【００９１】
図５（ａ）に示すように、上エアバッグ２０の両端部の膨張部３３Ｒ，３３Ｌは、それぞれ先端に向かって徐々に幅が狭くなるように形成されている。
図６（ａ）に示すように、膨張部３３Ｒ，３３Ｌは、身体の前面に配置される。そして、膨張部３３Ｒ，３３Ｌの先端は、身体の中心、つまり下腹部に配置される。したがって、膨張部３３Ｒ，３３Ｌの先端の幅を徐々に狭くすることで、膨張量が先端に向かって少なくなり、下腹部への圧迫が軽減される。
【００９２】
図５（ｂ）に示すように、上エアバッグ２０は、２枚のエアバッグ生地２１ａ，２１ｂを有している。２枚のエアバッグ生地２１ａ，２１ｂは、図５（ａ）に示す溶着部２３において互いに溶着されている。身体側（図において左側）のエアバッグ生地２１ａと、反身体側（図において右側）のエアバッグ生地２１ｂは、膨張時における脹らみ形状が互いに異なり、身体側が大きく膨張する。したがって、上エアバッグ２０は、身体に向かって膨張し易く、身体の部位を圧迫することができる。また、反身体側の膨張が抑えられ、圧迫の力が身体に反発して外に逃げ難い。このため、上エアバッグ２０の膨張による圧迫力が身体により効果的に加わり、マッサージ効果が向上する。
【００９３】
また、身体側のエアバッグ生地２１ａが膨張し易い。このため、図６（ｂ）に示す膨張部３１Ｒ，３１Ｌにおける最膨張点３１ａ，３１ｂの膨張量が大きい。このため、身体の深い部位が圧迫される。たとえば、梨状筋６２（図において右側にのみ示す）は、大臀筋６４に覆われている。このため、膨張量が大きな膨張部３１Ｒ，３１Ｌにより梨状筋６２を圧迫することが可能となる。
【００９４】
図７（ａ）に示すように、下ベルト１２において、身体の背面に配置された膨張部５１Ｌの身体側にヒップストッパ１８が配設されている。なお、身体の背面に配置された膨張部５１Ｒ（図６（ｂ）参照）についても同様である。
【００９５】
図７（ｂ）に示すように、膨張部５１Ｌが膨張すると、その膨張部５１Ｌの膨張にしたがってヒップストッパ１８が身体に押し付けられる。ヒップストッパ１８は硬い材質により形成されている。そして、ヒップストッパ１８は、ベルト１０の装着の際に、お尻の付け根部分に当たっている。そして、膨張部５１Ｌは、ヒップストッパ１８を斜め上方へと移動させる。このヒップストッパ１８は、膨張部５１Ｌの膨張にしたがってお尻を斜め上方へ押し上げる。つまり、ヒップストッパ１８は、お尻を引き上げる向きにマッサージする。このように、お尻の筋肉をほぐす方向へ移動させるため、より効果的なマッサージが可能である。また、お尻を引き上げる向きにマッサージするため、ヒップアップの効果が期待できる。
【００９６】
図８に示すように、ユーザは、ベルト１０の装着後に、ベルト１０と身体との間に補助具９０を挿入する。
図１に示すように、補助具９０は、ベース９１に形成された指圧部９２を有している。ユーザは、この指圧部９２を身体側として補助具９０をベルト１０と身体との間に挿入する。そして、ユーザによるコントローラ７０の操作にしたがって、ベルト１０の上エアバッグ２０と下エアバッグ４０が膨張・収縮する。補助具９０は、配置位置に応じて上エアバッグ２０または下エアバッグ４０の膨張により身体に強く押し付けられる。このように、任意の位置に配置した補助具９０により、指圧感が得られる。また、補助具９０の位置は、ユーザが任意に設定できるため、上ベルト１１と下ベルト１２に覆われた様々な部位において指圧感が得られる。
【００９７】
以上記述したように、本実施形態によれば、以下の効果を奏する。
（１）エアーマッサージ装置は、身体に巻回装着され、装着部位をマッサージする。エアーマッサージ装置は、身体に巻回装着される上ベルト１１と、上ベルト１１より下側にて身体に巻回装着され、中央上部が上ベルト１１の中央下部に連結された下ベルト１２とを有している。上ベルト１１には上エアバッグ２０が内装され、下ベルト１２には下エアバッグ４０が内装されている。コントローラ７０は、上エアバッグ２０と下エアバッグ４０とを膨張及び収縮する。中央部分が連結された上ベルト１１と下ベルト１２と巻回装着することにより、上エアバッグ２０と下エアバッグ４０が身体の形状（体型）に応じて取着される。このため、上エアバッグ２０と下エアバッグ４０により身体に対して十分な刺激を付与することができる。
【００９８】
また、上ベルト１１と下ベルト１２とによりベルト１０を身体に巻回装着する。このため、ベルト１０を装着した状態で、動き回ったり、寝そべったり、仰向けになったりする等、様々な体勢にてマッサージを行うことが可能となる。また、掃除等の家事を行いながらマッサージを行うことも可能となる。
【００９９】
（２）上ベルト１１の中央部にはセンターガイド１７が配設されている。下ベルト１２の中央部にはヒップストッパ１８が配設されている。センターガイド１７により、上エアバッグ２０と下エアバッグ４０を、身体の中心（左右）において正しく装着することができる。また、ヒップストッパ１８により、上エアバッグ２０と下エアバッグ４０を、身体の上下方向において正しく装着することができる。このため、上エアバッグ２０と下エアバッグ４０により、狙いの部位に対して十分な刺激を付与することができる。
【０１００】
（３）上ベルト１１のガイドは、上ベルト１１の幅方向に沿って延びる棒状に形成され、下ベルト１２のガイドは、下エアバッグ４０の中央から下ベルト１２の延伸方向に伸びる棒状に形成されている。上ベルト１１の幅方向に伸びるガイドにより、身体の中心（左右）において正しく装着することができる。また、下ベルト１２に沿って延びるガイドをたとえばお尻の付け根部分に合わせることで、身体に正しく装着することができる。
【０１０１】
（４）上ベルト１１は、上辺中央部が凹状に湾曲して形成され、左右両端部が直線状で水平方向に伸びるように形成され、下ベルト１２は、全体が上ベルト１１に向かって凸状に湾曲して形成されている。たとえば、身体の骨盤部分またはその周囲部分に巻回装着する際に、凹状に湾曲して形成された上ベルト１１の中央部は、仙骨部の隙間を埋め、上ベルト１１が身体に密着する。このため、上エアバッグ２０の膨張時にエアバッグが身体を圧迫しやすくなり、マッサージ感が向上する。
【０１０２】
（５）上ベルト１１及び下ベルト１２は、身体の骨盤部分またはその周囲部分に巻回装着されるものであり、上エアバッグ２０と下エアバッグ４０は、それぞれ複数の膨張部を有している。複数の膨張部は、それぞれの最膨張点が、マッサージの狙いとする筋肉または部位の位置に応じて設定されている。上エアバッグ２０と下エアバッグ４０に含まれる複数の膨張部を膨張することで、各膨張部の最膨張点が設定された位置における筋肉または部位を圧迫する。したがって、各膨張部を膨張及び収縮することで、狙いとする筋肉または部位に十分に刺激を付与してマッサージすることができる。
【０１０３】
（６）上エアバッグ２０と下エアバッグ４０の少なくとも一方は、身体側に配置された内側シートと、内側シートより外側に配置され内側シートより硬い外側シートからなる。たとえば、厚さや材質により内側シートと外側シートの硬さを相違させることで、脹らみ方が変わる。このため、外側シートに比べて内側シートの脹らみを大きくすることで、膨張時に身体に向かって膨張し易く、身体の部位を圧迫することができる。
【０１０４】
（７）上エアバッグ２０に含まれる複数の膨張部のうち、身体の前面に配置される膨張部の膨張容量と、身体の背面に配置される膨張部の膨張容量を互いに略等しく設定されている。上エアバッグ２０を膨張させる際に、その上エアバッグ２０が巻回された身体において、前面側と背面側の圧迫量が均等となる。このため、身体において均一な締め付け効果が得られる。
【０１０５】
（８）身体の前面に配置される膨張部３３Ｒ，３３Ｌは、先端に向かって徐々に幅を狭く形成されている。これらの膨張部３３Ｒ，３３Ｌは、それぞれの先端が身体の中心、つまり下腹部に配置される。したがって、膨張部３３Ｒ，３３Ｌの先端の幅を徐々に狭くすることで、膨張量が先端に向かって少なくなるため、下腹部への圧迫を少なくすることができる。
【０１０６】
（９）下ベルト１２の膨張部５１Ｌは、ヒップストッパ１８を斜め上方へと移動させる。このヒップストッパ１８の移動は、お尻を引き上げる向きにマッサージする。このように、お尻の筋肉をほぐす方向へ移動させるため、より効果的なマッサージが可能である。また、お尻を引き上げる向きにマッサージするため、ヒップアップの効果が期待できる。
【０１０７】
（１０）上ベルト１１または下ベルト１２と身体との間に挿入される補助具９０を有する。上ベルト１１または下ベルト１２と身体との間に補助具９０を挿入する。上エアバッグ２０または下エアバッグ４０の膨張により補助具９０が身体に強く押し付けられる。このため、任意の位置に配置された補助具９０により、指圧感を得ることができる。また、補助具９０の位置は、ユーザが任意に設定できるため、上ベルト１１と下ベルト１２に覆われた様々な部位において指圧感を得ることができる。
【０１０８】
（変形例）
実施の形態に関する説明は本発明に従うエアーマッサージ装置が取り得る形態の例示であり、その形態を制限することを意図していない。本発明に従うエアーマッサージ装置は実施の形態以外に例えば以下に示される実施の形態の変形例、および、相互に矛盾しない少なくとも２つの変形例が組み合わせられた形態を取り得る。なお、以下の変形例の説明において、上記実施の形態における部材の符号を用いて説明することがある。
【０１０９】
・上記実施の形態に対し、上エアバッグと下エアバッグ（膨張部）の形状等を適宜変更してもよい。
図９（ａ）に示す上エアバッグ１００は、複数（図において６つ）の膨張部１０１Ｒ，３２Ｒ，３３Ｒ，１０１Ｌ，３２Ｌ，３３Ｌを有している。膨張部１０１Ｒ，１０１Ｌは、身体の背面に配置される。これらの膨張部１０１Ｒ，１０１Ｌは、身体の梨状筋を狙いの筋肉としている。膨張部１０１Ｒは、主膨張部１０２Ｒと、主膨張部１０２Ｒに接続された補助膨張部１０３Ｒを有している。また、膨張部１０１Ｌは、主膨張部１０２Ｌと、主膨張部１０２Ｌに接続された補助膨張部１０３Ｌを有している。
【０１１０】
図９（ｂ）に示すように、補助膨張部１０３Ｒは、主膨張部１０２Ｒの身体側（図において左側）に配設されている。なお、図９（ａ）に示す補助膨張部１０３Ｌは、補助膨張部１０３Ｒと同様に、主膨張部１０２Ｌの身体側に配設されている。なお、図９（ａ）は、反身体側から見た上エアバッグ１００を示しているが、実線にて補助膨張部１０３Ｒ，１０３Ｌを示して主膨張部１０２Ｒ，１０２Ｌとの対応関係を判り易くしている。
【０１１１】
図９（ｂ）に示すように、主膨張部１０２Ｒは、２枚のエアバッグ生地１０４ａ，１０４ｂを溶着して形成されている。なお、図９（ａ）に示す主膨張部１０２Ｌと膨張部３２Ｒ，３３Ｒ，３２Ｌ，３３Ｌは、主膨張部１０２Ｒとともに図９（ｂ）に示すエアバッグ生地１０４ａ，１０４ｂにより形成されている。
【０１１２】
補助膨張部１０３Ｒは、２枚のエアバッグ生地１０５ａ，１０５ｂを溶着して形成されている。補助膨張部１０３Ｒは、主膨張部１０２Ｒと連通し、主膨張部１０２Ｒを介してエアーが供給される。したがって、補助膨張部１０３Ｒは、主膨張部１０２Ｒとともに膨張・収縮する。そして、主膨張部１０２Ｒの膨張量（膨張高さ）と、補助膨張部１０３Ｒの膨張量（膨張高さ）の合計が、この膨張部１０１Ｒの最膨張点の膨張量（膨張高さ）となる。なお、図は省略したが、図９（ａ）に示す補助膨張部１０３Ｌは、補助膨張部１０３Ｒと同様に形成されている。
【０１１３】
膨張部１０１Ｒ、１０１Ｌの膨張容量は、たとえば図５（ａ）に示す膨張部３１Ｒ，３１Ｌの膨張容量と等しく設定されている。したがって、４つの膨張部１０１Ｒ，１０１Ｌと膨張部３２Ｒ，３２Ｌの膨張容量の合計値が、２つの膨張部３３Ｒ，３３Ｌの膨張容量の合計値と略等しくなる。このため、均一な締め付け効果を維持することができる。
【０１１４】
また、膨張部１０１Ｒ，１０１Ｌは、主膨張部１０２Ｒ，１０２Ｌと補助膨張部１０３Ｒ，１０３Ｌの２段構成であるため、膨張高さが図５（ａ）に示す膨張部３１Ｒ，３１Ｌより大きくなり、より局所的に大きな圧迫感を得ることができる。したがって、膨張部１０１Ｒ，１０１Ｌによる身体の圧迫感が向上する。そして、この膨張部１０１Ｒ，１０１Ｌが狙いとする筋肉は、図６（ｂ）に示す梨状筋６２であり、分厚い大臀筋６４の内側にある。このため、大きな膨張量（膨張高さ）の膨張部１０１Ｒ、１０１Ｌにより得られる大きな圧迫量にて身体を圧迫することで、大臀筋６４の内側にある梨状筋をマッサージすることができる。
【０１１５】
図１０（ａ）に示すエアバッグ１１０は、涙滴状に形成されている。このエアバッグ１１０は、たとえば、半径が異なる２つ円と、それらの接線とを外形としている。
図１０（ｂ）に示すように、エアバッグ１１０は、２枚のエアバッグ生地１１１ａ，１１１ｂの端部を溶着して形成されている。エアバッグ生地１１１ａ，１１１ｂは、たとえばナイロン樹脂等の合成樹脂のシートである。エアバッグ生地１１１ａ，１１１ｂは、たとえば図５（ｂ）に示すエアバッグ生地２１ａ，２１ｂと同様に、身体側（図１０（ｂ）において左側）のエアバッグ生地１１１ａが、反身体側のエアバッグ生地１１１ｂと比べ、伸びやすい。
【０１１６】
そして、エアバッグ１１０は、幅の広い部分が大きく膨らむ。この脹らみにより、収縮時（図において実線で示す）に対して、エアバッグ１１０の膨張点１１２が、図に矢印にて示すように、収縮時の面１１３に垂直な方向以外の方向へと移動する。
【０１１７】
図１０（ｃ）に示すように、エアバッグ１１０は、下ベルト１２に内装される。図１０（ｄ）に示すように、エアバッグ１１０は、お尻を下から斜め上に向かって押し上げるように膨張する。このため、おしりを引き上げる向きにマッサージすることができる。このマッサージは、おしりの筋肉を潰さずほぐす方向になるため、より効果的なマッサージが可能である。
【０１１８】
図１１（ａ）及び図１１（ｂ）に示すように、２つのエアバッグ１２１，１２２は、互いに一部が重なるように配置されている。これら２つのエアバッグ１２１，１２２は、１つの膨張部を構成する。各エアバッグ１２１，１２２はそれぞれ、略矩形状に形成された２枚のエアバッグ生地の端部を溶着して形成されている。エアバッグ生地は、たとえばナイロン樹脂などの合成樹脂のシートである。これらのエアバッグ１２１，１２２は、それぞれにパイプＰ１１，Ｐ１２が接続され、パイプＰ１１，Ｐ１２を介してエアーが供給される。２つのエアバッグ１２１，１２２は、一部が互いに重なることで、それぞれの最膨張点の位置がずれている。
【０１１９】
図１１（ｃ）に示すように、２つのエアバッグ１２１，１２２を膨張させる。このとき、２つのエアバッグ１２１，１２２の合成による最膨張点１２３の動作方向が、図に矢印にて示すように、それぞれのエアバッグ１２１，１２２の収縮時の面１２４に対して垂直な方向以外の方向に変位する。また、一方のエアバッグ１２１が他方のエアバッグ１２２を持ち上げるように膨張することで、２つのエアバッグ１２１，１２２の合成による最膨張点１２３の膨張量（膨張高さ）が、個々のエアバッグ１２１，１２２の膨張量より大きくなる。
【０１２０】
図１１（ｄ）に示すように、エアバッグ１２１，１２２は、下ベルト１２に内装される。図１１（ｅ）に示すように、エアバッグ１２１，１２２は、お尻を下から斜め上に向かって押し上げるように膨張する。このため、おしりを引き上げる向きにマッサージすることができる。このマッサージは、おしりの筋肉を潰さずほぐす方向になるため、より効果的なマッサージが可能である。
【０１２１】
図１２（ａ）及び図１２（ｂ）に示すように、エアバッグ１２０は、複数（図では３つ）の膨張部１３１，１３２，１３３を有している。各膨張部１３１，１３２，１３３は、それぞれ矩形状に形成されている。また、各膨張部１３１，１３２，１３３は、収縮時における互いの大きさが異なっている。そして、各膨張部１３１，１３２，１３３は、それぞれの一辺が一致するように配設され、互いに連通されている。
【０１２２】
図１２（ｃ）に示すように、エアバッグ１３０を膨張させる。このとき、エアバッグ１３０の最膨張点１３４は、収縮時（図において実線で示す）に対して、図に矢印にて示すように、収縮時の面１３５に垂直な方向以外の方向へと移動する。
【０１２３】
図１２（ｄ）に示すように、エアバッグ１３０は、下ベルト１２に内装される。図１２（ｅ）に示すように、エアバッグ１３０は、お尻を下から斜め上に向かって押し上げるように膨張する。このため、おしりを引き上げる向きにマッサージすることができる。このマッサージは、おしりの筋肉を潰さずほぐす方向になるため、より効果的なマッサージが可能である。
【０１２４】
・上記実施形態に対し、ベルト（上ベルト、下ベルト）の形状等を適宜変更してもよい。
図１３に示すベルト１４０は、上ベルト１１と下ベルト１２と接続ベルト１４１，１４２を有している。接続ベルト１４１，１４２は、上ベルト１１と下ベルト１２の中央部から先端に向かって所定距離となる位置に配置され、上ベルト１１と下ベルト１２とを接続する。所定距離は、上ベルト１１と下ベルト１２が身体の臀部を覆うように設定され、たとえば３００ミリメートル（ｍｍ）である。なお、所定距離を、身体に応じて、接続ベルト１４１，１４２が身体の側部または側部前方に配置されるように設定されてもよい。接続ベルト１４１，１４２は、たとえば弾性を有している。たとえば、糸状のゴムを綿等の糸により被覆して形成される。なお、薄い板状のゴムを筒状の布により被覆したものが用いられてもよい。
【０１２５】
このように接続ベルト１４１，１４２を有するベルト１４０は、身体の正しい位置への装着を容易とする。たとえば、ユーザは、上ベルト１１を把持し、その上ベルト１１の背面に当接させる。そして、把持した上ベルト１１の両端部を身体の前方へと移動させる。このとき、接続ベルト１４１，１４２より連結された下ベルト１２が、上ベルト１１の両端部の移動によって、お尻の付け根部分に当たるようになる。下ベルト１２は、上ベルト１１に向かって凸となるように湾曲して形成されている。この湾曲した下ベルト１２をお尻に当てることで、上下方向の位置決めが容易となる。つまり、ベルト１４０を身体に対して正しい位置に装着することが可能となる。なお、下ベルト１２が図２に示すヒップストッパ１８を有している場合でも同様である。
【０１２６】
図１４に示すベルト１５０は、上ベルト１５１と下ベルト１５２が、それぞれの中央から所定距離まで縫製糸により互いに縫い合わされている。所定距離は、上ベルト１５１と下ベルト１５２が身体の臀部を覆うように設定され、たとえば３００ミリメートル（ｍｍ）である。なお、所定距離を、身体に応じて、身体の側部または側部前方まで互いに縫い合わされるように設定されてもよい。
【０１２７】
このベルト１５０は、図１３に示すベルト１４０と同様に、ユーザが上ベルト１５１を身体に巻回装着する際に、下ベルト１５２の中央部分がお尻に当たるため、ベルト１５０の上下方向の位置決めが容易となり、正しい位置にベルト１５０を装着することができる。
【０１２８】
図１５（ａ）に示すベルト１６０は、上ベルト１６１、下ベルト１６２、接続ベルト１６３，１６４を有している。上ベルト１６１と下ベルト１６２は、それぞれの中央部分において、縫製等によって互いに連結されている。上ベルト１６１は、下ベルト１６２に向かって凸となるように湾曲して形成されている。下ベルト１６２は、上ベルト１６１に向かって凸となるように湾曲して形成されている。
【０１２９】
接続ベルト１６３，１６４は、図１３に示す接続ベルト１４１，１４２と同様に、上ベルト１６１と下ベルト１６２の中央部から先端に向かって所定距離となる位置に配置され、上ベルト１６１と下ベルト１６２とを接続する。所定距離は、上ベルト１６１と下ベルト１６２が身体の臀部を覆うように設定され、たとえば３００ミリメートル（ｍｍ）である。なお、所定距離を、身体に応じて、接続ベルト１６３，１６４が身体の側部または側部前方に配置されるように設定されてもよい。接続ベルト１６３，１６４は、たとえば弾性を有している。たとえば、糸状のゴムを綿等の糸により被覆して形成される。なお、薄い板状のゴムを筒状の布により被覆したものが用いられてもよい。
【０１３０】
図１５（ｂ）に示すように、ベルト１６０を身体に巻回装着する。この場合、上ベルト１６１の上端が形成する輪の長さ（周囲長さ）は、上ベルト１６１の下端が形成する輪の長さよりも短い。また、下ベルト１６２の下端端が形成する輪の長さ（周囲長さ）は、下ベルト１６２の上端端が形成する輪の長さよりも短い。つまり、上ベルト１６１は、身体の上方に向かって徐々に狭くなる筒状をなし、下ベルト１６２は、身体の下方に向かって徐々に狭くなる筒状をなす。このような形状の上ベルト１６１と下ベルト１６２とにより、身体の臀部にベルト１６０をしっかりと装着することができる。
【０１３１】
また、上ベルト１６１に内装したエアバッグ（図示略）を膨張させた場合、そのエアバッグの膨張によってベルト１６０が身体の上方へと移動しようとする。このとき、下ベルト１６２が身体に密着し、ベルト１６０の上方への移動を防ぐ。同様に、下ベルト１６２に内装したエアバッグ（図示略）を膨張させた場合、上ベルト１６１がベルト１６０の下方への移動を防ぐ。このように、上ベルト１６１と下ベルト１６２とによりベルト１６０の位置ずれを防止することができる。このため、ベルト１６０を装着した状態で、動き回ったり、寝そべったり、仰向けになったりする等、様々な体勢を取ることが可能となる。また、掃除等の家事を行うことも可能となる。
【０１３２】
・図５（ａ）に示す上エアバッグ２０の膨張部３１Ｒ，３２Ｒ，３３Ｒ，３１Ｌ，３２Ｌ，３３Ｌと、下エアバッグ４０の膨張部５１Ｒ，５２Ｒ，５１Ｌ，５２Ｌを適宜独立して（個別に）膨張及び収縮を可能としてもよい。そして、コントローラにより各膨張部３１Ｒ，３２Ｒ，３３Ｒ，３１Ｌ，３２Ｌ，３３Ｌ，５１Ｒ，５２Ｒ，５１Ｌ，５２Ｌの膨張及び収縮を適宜制御してもよい。たとえば、図６（ａ）及び図６（ｂ）に示すように、右前面の膨張部３３Ｒ，５２Ｒと、左背面の膨張部３１Ｌ，３２Ｌ，５１Ｌを膨張させる。すると、身体を右前方と左後方とから押すことになり、身体を捻るような大きな範囲の筋肉を動かせることができる。このように、膨張・収縮する膨張部の位置や順序によって、より多くのバリエーション（パターン）にて身体をマッサージすることが可能となる。
【０１３３】
・上記実施形態において、図２に示すセンターガイド１７とヒップストッパ１８の少なくとも一方を省略してもよい。
・センターガイド１７を棒状としたが、身体の中心に対してベルト１０の中心を合わせられればよく、例えば球状としてもよい。
【０１３４】
・ヒップストッパ１８は、一本の棒状としたが、左右に分割されていてもよい。また、３つ以上に分割されていてもよい。
・上ベルト１１の中央上端を直線状としてもよい。
【符号の説明】
【０１３５】
１１  ：上ベルト
１２  ：下ベルト
２０  ：上エアバッグ
４０  ：下エアバッグ
７０  ：コントローラ
１７  ：センターガイド（ガイド）
１８  ：ヒップストッパ（ガイド，パッド）
３１Ｒ，３２Ｒ，３３Ｒ，３１Ｌ，３２Ｌ，３３Ｌ：膨張部
５１Ｒ，５２Ｒ，５１Ｌ，５２Ｌ：膨張部
１０１Ｒ，１０１Ｌ：膨張部
１０２Ｒ，１０２Ｌ：主膨張部
１０３Ｒ，１０３Ｌ：補助膨張部
９０  ：補助具
【図１】
0006583810.tif 000002
【図２】
0006583810.tif 000003
【図３】
0006583810.tif 000004
【図４】
0006583810.tif 000005
【図５】
0006583810.tif 000006
【図６】
0006583810.tif 000007
【図７】
0006583810.tif 000008
【図８】
0006583810.tif 000009
【図９】
0006583810.tif 000010
【図１０】
0006583810.tif 000011
【図１１】
0006583810.tif 000012
【図１２】
0006583810.tif 000013
【図１３】
0006583810.tif 000014
【図１４】
0006583810.tif 000015
【図１５】
0006583810.tif 000016